(57)【要約】      （修正有）【課題】オペレータが充分な注意力を払わずとも搭載される商品の個数が所定数以下となったことを認知し易いマガジンを提供する。【解決手段】マガジン１００は、たばこ商品６０が前後方向に一列に搭載される搭載部１０と、搭載部１０に沿って前後移動するように設けられた押板２０と、押板２０を前方に付勢する付勢部材（リール５０）と、押板２０と連動して揺動する揺動部材３０と、たばこ商品６０の個数が所定数Ｎ以下となったことをマガジン１００の正面側において報知する残数表示灯１２０を備え、押板２０が前進して所定の位置を通過するとき揺動部材３０が揺動して所定の揺動位置に至るとともに揺動部材３０の作用により残数表示灯１２０を点灯または消灯する。【選択図】図１
2014184000.tif 000002
【特許請求の範囲】
【請求項１】
複数の商品が前後方向に一列に搭載される搭載部と、前記搭載部に沿って前後移動するように設けられた押板と、前記押板を前方に付勢する付勢部材と、前記押板と連動して揺動する揺動部材と、を備えるマガジンであって、
前記商品の個数が所定数Ｎ（Ｎは自然数）以下となったことを前記マガジンの正面側において報知する残数表示灯と、を備え、
前記押板が前進して所定の位置を通過するとき前記揺動部材が揺動して所定の揺動位置に至るとともに前記揺動部材の作用により前記残数表示灯を点灯または消灯することを特徴とするマガジン。
【請求項２】
前記押板が前進して前記所定の位置を通過することにより前記押板が前記揺動部材を前記搭載部の幅方向に付勢することによって前記揺動部材が前記所定の揺動位置に至る請求項１に記載のマガジン。
【請求項３】
前記搭載部は前記商品を搭載するための底板部を有し、
前記揺動部材が前記底板部の下面において配置され、前記下面に対し平行な面内において回転揺動する請求項１または２に記載のマガジン。
【請求項４】
前記残数表示灯を点灯または消灯するためのスイッチを備える請求項１から３のいずれか一項に記載のマガジン。
【請求項５】
前記搭載部は、前記スイッチを構成する第一スイッチ部材を有し、
前記揺動部材は、前記スイッチを構成する第二スイッチ部材を有し、
前記第一スイッチ部材と前記第二スイッチ部材とが接触する請求項４に記載のマガジン。
【請求項６】
前記搭載部は、前記商品と搭載するための底板部を有するとともに、前記底板部から上方または下方に延在する壁部を有し、
前記第一スイッチ部材が、前記壁部の側面に設けられているとともに、前記第二スイッチ部材が前記揺動部材の側面に設けられている請求項５に記載のマガジン。
【請求項７】
前記搭載部は、前記商品を載置するための底板部を有し、
前記第一スイッチ部材が、前記底板部の下面に設けられているとともに、前記第二スイッチ部材が前記揺動部材の上面に設けられている請求項５に記載のマガジン。
【請求項８】
前記第一スイッチ部材は、互いに一定の距離を開けて設けられた第一端子および第二端子を含み、
前記第二スイッチ部材は、前記第一端子と前記第二端子とを導通させるための導通部材である請求項６または７に記載のマガジン。
【請求項９】
前記残数表示灯の電源を備える請求項１から８のいずれか一項に記載のマガジン。
【請求項１０】
前進して前記所定の位置を通過した前記押板が、前記所定の位置を通過して後退するとき、
前記揺動部材が前記所定の揺動位置から異なる位置へと揺動するとともに前記残数表示灯が点灯または消灯する請求項１から９のいずれか一項に記載のマガジン。
【請求項１１】
前記搭載部には側壁部が設けられており、
前記押板の前記側面と、前記側面と対向する前記側壁部と、の間において、前記押板が前記揺動部材を付勢する方向に伸縮可能な弾性体が設けられていることを特徴とする請求項２から１０のいずれか一項に記載のマガジン。
【発明の詳細な説明】
【技術分野】
【０００１】
本発明は、複数の商品が前後方向に一列に搭載されるマガジンに関し、特に、搭載される商品の個数が所定数以下となったことを報知する残数表示灯を備えるマガジン関する。
【背景技術】
【０００２】
コンビニエンスストアなどの店舗では、様々な商品がいわゆる什器（商品陳列棚）に陳列されている。
多様な商品のうち、例えばたばこ商品などの特定の商品を陳列するための什器は、電子キャッシュレジスタなどの販売処理装置が載置されたレジカウンタ上またはその周辺に配置されることが一般的である。ここでいうたばこ商品とは、実際に喫煙される紙巻たばこではなく、複数の紙巻たばこを収容している直方体状のパッケージを意味している。
【０００３】
什器の棚には、複数の商品を前後方向に一列に搭載するための商品搭載用の容器が複数設置される。上記商品搭載用の容器は一般的にはマガジン、カートリッジまたはホルダーなどと呼ばれている。以下、かかる容器をマガジンと呼称する。
【０００４】
ところでマガジンに搭載された商品の残数が減ってくると、店舗従業員（以下、「オペレータ」という）は、商品を適宜補充する必要がある。したがって商品の個数を人為的に数えなくとも、商品の残数が減ってきたことを認識したいという要望があった。これに対し、マガジンにおいて所定の動作を行う部材を視認させることにより、搭載部に搭載されている商品が所定個数以下となったことを表示可能とする機能を備えたマガジン（以下、「残個数表示機能付きマガジン」ともいう）が提案されている。より詳しくは、従来の残個数表示機能付きマガジンは、マガジンに設けられた部材が所定の動作を行うことにより商品の個数が所定数以下になったことを表示報知する状態となったことをオペレータに視認させる。
【０００５】
たとえば特許文献１には、載品台の下部に、渦巻状の板バネの巻体が係着され、上記巻体から繰り出された板バネが載品台の端部に設けられている連通口を経由して載品台の上部の押出体の下部の係止部に係止される商品繰り出し器が開示されている。上記商品繰り出し器は、板バネにより商品を押して整列保持し、商品が取り出されると板バネの巻き戻し力により、後続の商品が前方へ押し出される作用を発揮する。ここで、上記商品繰り出し器は、載品台の下部の端部にスカート部を備え、そのスカート部の所定位置に透孔を有し、当該透孔から巻き出された板バネを視認可能とする。これとともに、透孔と当接する巻バネの部分に、搭載される商品数（即ち商品残数）に見合った数字を付しておくことにより、残個数表示を可能とする商品繰り出し器（以下、「従来技術１」ともいう）が開示されている。
【先行技術文献】
【特許文献】
【０００６】
【特許文献１】実開平３−６９４５９号公報
【発明の概要】
【発明が解決しようとする課題】
【０００７】
しかし従来技術１に代表される従来の残個数表示機能付きマガジンは、以下の問題を有していた。
即ち、従来の残個数表示機能付きマガジンは、マガジンの正面側から、マガジンにおいて所定の動作を行う部材を視認させることで搭載される商品の個数情報をオペレータに伝えるものである。
【０００８】
一方、一般的にマガジンは什器において上下方向および幅方向に多段に複数配列される。複数のマガジンが設置された什器を正面から観察すると、各マガジンに搭載される異なる銘柄の商品フェース、あるいはプライスカードなどの販売情報を記載した銘柄毎のカードが視認される。即ち、什器の正面側には、多数の図柄、色、文字情報などが示される。
【０００９】
このように多数の図柄、色、文字情報などの中において、所定の動作を行う部材を視認して搭載される商品の個数が所定数以下となったことを認知するには、オペレータに一定の注意力が求められる。換言すると、オペレータは、他の業務の中にあって、什器の正面側のどこかに示される所定の動作を行う部材を、残個数表示として気づかない虞があった。
【００１０】
本発明は上述のような課題に鑑みてなされたものである。即ち、本発明は、オペレータが充分な注意力を払わずとも搭載される商品の個数が所定数以下となったことを認知し易いマガジンを提供するものである。
【課題を解決するための手段】
【００１１】
本発明のマガジンは、複数の商品が前後方向に一列に搭載される搭載部と、上記搭載部に沿って前後移動するように設けられた押板と、上記押板を前方に付勢する付勢部材と、上記押板と連動して揺動する揺動部材と、を備えるマガジンであって、上記商品の個数が所定数Ｎ（Ｎは自然数）以下となったことを上記マガジンの正面側において報知する残数表示灯と、を備え、上記押板が前進して所定の位置を通過するとき上記揺動部材が揺動して所定の揺動位置に至るとともに上記揺動部材の作用により上記残数表示灯を点灯または消灯することを特徴とする。
【発明の効果】
【００１２】
本発明のマガジンは、マガジンに設けられた部材の所定の動作に作用されて点灯する残数表示灯の光をオペレータに感知させることにより搭載される商品の個数が所定数以下となったことを報知するものである。これによって、所定の動作を行う部材を視認させることに基づく従来の残個数表示機能付きのマガジンに比べて、残個数の報知に対するオペレータの注意を充分に喚起することが可能である。
【図面の簡単な説明】
【００１３】
【図１】第一実施形態に係るマガジンの側面図であり、搭載されている複数の商品が所定数Ｎ以下であるときの状態を示す。
【図２】第一実施形態に係るマガジンの上面図であり、搭載されている複数の商品が所定数Ｎ以下であるときの状態を示す。
【図３】第一実施形態に係るマガジンの裏面図であり、搭載されている複数の商品が所定数Ｎを上回るときの状態を示す。
【図４】第一実施形態に係るマガジンの裏面図であり、搭載されている複数の商品が所定数Ｎ以下であるときの状態を示す。
【図５】第一実施形態に係るマガジンの正面図である。
【図６】第一実施形態に係るマガジンの概略斜視図であり、ＬＥＤ回路基板がホルダから取り出された状態を示す。
【図７】第二実施形態に係るマガジンの裏面図であり、搭載されている複数の商品が所定数Ｎを上回るときの状態を示す。
【図８】第二実施形態に係るマガジンの裏面図であり、搭載されている複数の商品が所定数Ｎ以下であるときの状態を示す。
【発明を実施するための形態】
【００１４】
以下、本発明の第一実施形態および第二実施形態について、図面を用いて説明する。すべての図面において、同様の構成要素には同一の符号を付し、重複する説明は適宜に省略する。尚、本実施の形態では図面上、前後左右上下の方向を規定して説明する場合がある。しかし、これは構成要素の相対関係を簡単に説明するために便宜的に規定するものであり、本発明を実施する製品の製造時や使用時の方向を限定するものではない。特にマガジンに関連する前後は、マガジンの正面側を前方向、背面側を後方向とする。またマガジンに関連する左右は、マガジンの幅方向であって正面側から観察したときの左右をいう。
【００１５】
本発明のマガジンの各種の構成要素は、個々に独立した存在である必要はない。本発明は、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００１６】
＜第一実施形態＞
第一実施形態は、本発明のマガジン１００の一の実施態様の例に関する。第一実施形態の説明には図１から図６を用いる。図１は、第一実施形態に係るマガジン１００の側面図であり、搭載されている複数のたばこ商品６０が所定数Ｎ以下であるときの状態を示す。図２は、第一実施形態に係るマガジン１００の上面図であり、搭載されている複数のたばこ商品６０が所定数Ｎ以下であるときの状態を示す。図３は、第一実施形態に係るマガジン１００の裏面図であり、搭載されている複数のたばこ商品６０が所定数Ｎを上回るときの状態を示す。図４は第一実施形態に係るマガジン１００の裏面図であり、搭載されている複数のたばこ商品６０が所定数Ｎ以下であるときの状態を示す。図５は、第一実施形態に係るマガジン１００の正面図である。図６は、第一実施形態に係るマガジン１００の概略斜視図である。図６は、ＬＥＤ回路基板１１０がホルダ１７から取り出された状態を示している。尚、図２から図４は、たばこ商品６０の図示を省略する。
【００１７】
本実施形態に係るマガジン１００は、複数の商品（たばこ商品６０）が前後方向に一列に搭載される搭載部１０と、搭載部１０に沿って前後移動するように設けられた押板２０と、押板２０を前方に付勢する付勢部材（リール５０）と、押板２０と連動して揺動する揺動部材３０と、を備える。
マガジン１００は、さらに商品（たばこ商品６０）の個数が所定数Ｎ（Ｎは自然数）以下となったことをマガジン１００の正面側において報知する残数表示灯１２０を備える。
マガジン１００は、押板２０が前進して所定の位置を通過するとき揺動部材３０が揺動して所定の揺動位置に至るとともに揺動部材３０の作用により残数表示灯１２０を点灯または消灯する。
上記所定の揺動位置とは、揺動部材３０が残数表示灯１２０に対し点灯または消灯するための作用を与え得る位置である。
【００１８】
上述のとおり、本実施形態に係るマガジン１００は、押板２０が前進して所定の位置を通過するとき揺動部材３０が所定の揺動位置に揺動することをきっかけとして残数表示灯１２０を点灯または消灯するものである。
押板２０が通過する所定の位置は搭載部１０の前端近傍に存在する。例えば、上記所定の位置は、残個数として報知を所望する所定数Ｎの商品（たばこ商品６０）が搭載部１０に搭載され、その商品（たばこ商品６０）を搭載部１０の前端に押すことのできる位置よりやや後方である。より具体的な例としては、上記所定の位置は、前後方向において搭載部１０に搭載される前からＮ個目の商品（たばこ商品６０）の背面より後方から、Ｎ＋１個目の商品（たばこ商品６０）の背面より前方の間である。
【００１９】
本実施形態における揺動部材３０は、押板２０と連動して揺動する。揺動部材３０は、常に押板２０と連動して揺動する態様、押板２０が搭載部１０の任意の前後領域を前進するときに連動して揺動する態様、および押板２０が所定の位置を通過するときのみ連動して揺動する態様を含む。いずれの態様においても、揺動部材３０は押板２０が前進して所定の位置を通過するときに揺動して所定の揺動位置に至る。そして上記所定の位置に揺動部材３０が至ることをきっかけとして残数表示灯１２０が点灯または消灯する。
【００２０】
即ち、本実施形態に係るマガジン１００は、押板２０が前進して所定の位置を通過するとき残数表示灯１２０を点灯または消灯する。したがってマガジン１００は、商品（たばこ商品６０）の個数が所定数Ｎ以下となったタイミングで人為的な操作なしに残数表示灯１２０を点灯または消灯することができる。このとき、残数表示灯１２０の点灯または消灯のきっかけは、押板２０の前進の動作を直接のきっかけとするのではなく、押板２０の動作に連動する揺動部材３０の揺動をきっかけとする。
即ち、本実施形態は、押板２０が所定の位置を通過することを残数表示灯１２０の点灯または消灯のきっかけとしながらも、押板２０が直接的に上記点灯または上記消灯に関与することを回避する。そのため、押板２０は搭載部１０に搭載される商品（たばこ商品６０）を前方に押すという所期の機能が良好に維持される。
【００２１】
残数表示灯１２０は、マガジン１００に搭載されるたばこ商品６０の個数が所定数Ｎとなったことを報知するための部材である。残数表示灯１２０は点灯したとき、その光がマガジン１００の正面側から感知される。上記光は直接的にオペレータに視認される光、任意の遮蔽物を介してオペレータに視認される光を含む。図１から図６に示すマガジン１００における残数表示灯１２０は、前端が搭載部１０の前面よりやや前方に突出して配置されおり、その前面は露出している。かかる態様では、オペレータが残数表示灯１２０の光を直接的に視認することができるため、マガジン１００の残個数表示に特段の注意力を払わずとも搭載されるたばこ商品６０の個数が所定数Ｎ以下となったことを認知することが容易である。
また図示省略する他の態様では、残数表示灯１２０は、搭載部１０の内側に搭載され、任意の部材を介して点灯する光をオペレータに感知することもできる。例えば、残数表示灯１２０を前壁部１３の後方に位置せしめ、前壁部１３を介してオペレータに光を感知させることもできる。かかる態様では、使用状態のマガジン１００において残数表示灯１２０がオペレータや任意の物品と接触して破損するといったことを防止することができる。
【００２２】
上記残数表示灯１２０は、電球、電灯、蛍光灯などを含み、電気的なエネルギーで点灯することが可能な発光体を包含する。例えば、発光ダイオード（以下、「ＬＥＤ」）電球、ハロゲン灯、白熱灯など周知の発光体から適宜選択することができる。また、発光体単体で取り付け可能なタイプ、回路基板に含まれた状態で取り付けられるタイプなどを含む。また残数表示灯１２０の取り付け位置は一般的には搭載部１０の前端側に設けられ、マガジン１００の正面側から残数表示灯１２０の光をオペレータに感知させる。あるいは、搭載部１０の前端と後端との間または後端部側に残数表示灯１２０を設け、導光線などを利用して残数表示灯１２０の光を搭載部１０の前端側に導き、これによりマガジン１００の正面側から残数表示灯１２０の光をオペレータに感知させてもよい。
図１から図６に示される残数表示灯１２０は、ＬＥＤ回路基板１１０に含まれるＬＥＤ電球である。図６に示されるように、ＬＥＤ回路基板１１０は、基板１１１にＬＥＤ電球である残数表示灯１２０、および残数表示灯１２０の電源１１２であるボタン電池が搭載されて構成されている。またＬＥＤ回路基板１１０からは、後述するスイッチ部とＬＥＤ回路基板１１０とを繋ぐ配線１１３が導出する。ＬＥＤ回路基板１１０はＬＥＤ電球を点灯および消灯させるために必要な構成を適宜備える。
搭載部１０の前端部には、前板部１３ａと後板部１３ｂとを備える前壁部１３が設けられている。前板部１３ａと後板部１３ｂとの間は一定の距離が設けられておりホルダ１７が形成されている。残数表示灯１２０はＬＥＤ回路基板１１０の前面より突出しており、突出する残数表示灯１２０を受けるための切欠き部１３０が前板部１３ａに設けられている。ホルダ１７にはさらにたばこ商品６０の、図示省略するプライスカードが差し込まれてもよい。プライスカードは、突出する残数表示灯１２０を避け、ＬＥＤ回路基板１１０の前面に差し込むことができる。あるいはホルダ１７に充分な厚みがあり切欠き部１３０がなくてもＬＥＤ回路基板１１０を内包可能であれば、ＬＥＤ回路基板１１０の前面にプライスカードを挿入してもよい。
尚、ＬＥＤ回路基板１１０の設置個所は、ホルダ１７に限定されず、前壁部１３の背面に貼りつける態様、前壁部１３の前面に貼りつける態様、プライスカードホルダとＬＥＤ回路基板１１０とを仕切りのある別々のホルダとして設ける態様を含む。
【００２３】
上述のとおりＬＥＤ回路基板１１０が設置されることにより、マガジン１００は残数表示灯１２０の電源を備える。
本実施形態における電源１１２の一例であるボタン電池は、ＬＥＤ回路基板１１０に設けられる態様に限定されず、マガジン１００の任意の位置に回路部品として、または単体で、または任意の形態で適宜取り付けることができる。ただし本実施形態はマガジン１００の外部に電源を設ける態様を排除するものではない。
【００２４】
マガジン１００に上記電源を備えることにより、マガジン１００がコンパクトになり取扱性に優れる。上記電源として外部電源を使用する場合に比べて比較的に単純な構成とすることができる。
【００２５】
本実施形態において、残数表示灯１２０の点灯または消灯によりたばこ商品６０の個数が所定数Ｎ以下となったことを報知する態様は、以下の態様を含む。
即ち、本実施形態は、残数表示灯１２０がたばこ商品６０の個数が所定数Ｎを上回るときは消灯し、上記個数が所定数Ｎ以下のとき点灯することにより、搭載部１０に搭載されるたばこ商品６０の個数が所定数Ｎ以下であることを報知する態様を含む。以下、当該態様を「点灯報知態様」ともいう。
また本実施形態は、残数表示灯１２０がたばこ商品６０の個数が所定数Ｎを上回るときは点灯し、上記個数が所定数Ｎ以下のとき消灯することにより、搭載部１０に搭載されるたばこ商品６０の個数が所定数Ｎ以下であることを報知する態様を含む。以下、当該態様を「消灯報知態様」ともいう。
また上記点灯には、連続的に残数表示灯１２０が点灯する場合、断続的に点灯する場合（即ち点滅する場合）を含む。
尚、図面を用いて詳細に説明する本実施形態のマガジン１００は、主として点灯報知態様を例に説明する。
【００２６】
揺動部材３０は、押板２０と連動して揺動する部材である。揺動部材３０は、搭載部１０に対し揺動可能に設けられるとともに、前進する押板２０が所定の位置を通過することにより所定の揺動位置に揺動する。マガジン１００における揺動部材３０の設置位置および揺動方向は特に限定されず、本発明の趣旨に逸脱しない範囲において適宜決定することができる。
例えば、図１から図４に図示する揺動部材３０は、揺動軸４１を有し、底板部１１の面に平行な面内において回転揺動する部材である。また、図示省略する他の態様の揺動部材３０は、押板２０の前進に連動して搭載部１０の前後方向に沿って移動する部材であってもよい。揺動部材３０は、側壁部１２の主面に平行な面内で揺動する態様、前壁部１３の背面にそって揺動する態様などを含む。
また図示省略するが、その他の揺動部材３０の例としては、前進する押板２０とともに前進し、押板２０が所定の位置を通過するときに所定の揺動位置に揺動する、前後揺動部材であってもよい。
【００２７】
特にマガジン１００は、搭載部１０はたばこ商品６０を搭載するための底板部１１を有し、揺動部材３０が底板部１１の下面において配置され、上記下面に対し平行な面内において回転揺動する態様を含む。
【００２８】
かかる態様では、揺動部材３０の動作は搭載部１０の幅方向への動作を含む。即ち、搭載部１０の前後方向において前進する押板２０の前進力を揺動部材３０の幅方向への動作に変換することができる。尚、底板部１１の下面において配置された揺動部材３０と接触する押板２０とは、底板部１１の下面の側に存在する押板２０の一部である。
【００２９】
前進する押板２０が所定の位置を通過するときに、押板２０が直接的に揺動部材３０に接触し、押板２０から揺動部材３０に力を伝達して揺動部材３０を揺動させるようにしても良い。あるいは、押板２０から揺動部材３０に対して間接的に力が伝達して、揺動部材３０を揺動させるようにしても良い。
尚、所定数Ｎは、商品（たばこ商品６０）の前後方向寸法（前後方向厚み）に応じて変動しうる。このため、ある商品をマガジン１００に搭載したときの所定数Ｎと、それとは前後方向厚みが異なる商品をマガジン１００に搭載したときの所定数Ｎとは、相違する場合がある。
【００３０】
本実施形態にかかるマガジン１００は、残数表示灯１２０を点灯または消灯するための手段として、周知の手段から適宜選択実施することができる。
たとえばマガジン１００は、図２から図４に示すとおり残数表示灯１２０を点灯または消灯するためのスイッチであるスイッチ部１５０を備える。
【００３１】
スイッチ部１５０を開閉することにより、残数表示灯１２０を点灯または消灯することができる。このとき例えばスイッチ部１５０が閉じることで外部電源または内部電源から点灯のための電力が与えられる周知の態様、複数の電気回路を有し閉じた回路内部でスイッチが切り替わる態様など種々の手段を採用することができる。より単純な回路としては、直流回路におけるスイッチ部１５０を挙げることができる。
【００３２】
スイッチ部１５０は、スイッチが閉じるときに残数表示灯１２０が点灯する態様、およびスイッチが閉じるときに残数表示灯１２０が消灯する態様を含む。またスイッチ部１５０は、スイッチが開くときに残数表示灯１２０が点灯する態様、およびスイッチが開くときに残数表示灯１２０が消灯する態様を含む。
所定の揺動位置に揺動する揺動部材３０の作用により残数表示灯１２０を点灯または消灯するとは、所定の揺動位置以外の位置から所定の揺動位置へと揺動部材３０が揺動する際の、揺動部材３０の動作がスイッチ部１５０に作用する態様を含む。また本実施形態は、揺動部材３０が所定の揺動位置に位置することにより揺動部材３０がスイッチ部１５０に作用することにより残数表示灯１２０を点灯または消灯する態様を含む。
【００３３】
例えば図３に示すように、マガジン１００は、搭載部１０がスイッチ部１５０を構成する第一スイッチ部材１５１を有し、揺動部材３０がスイッチ部１５０を構成する第二スイッチ部材１５２を有し、第一スイッチ部材１５１と第二スイッチ部材１５２とが接触する。これにより例えばスイッチ部１５０が閉じる（図２、図４）。
ただし、本実施形態は、第一スイッチ部材１５１と第二スイッチ部材１５２とが接触することによるスイッチ部１５０のその他の態様を含む。例えば本実施形態は、第一スイッチ部材１５１と第二スイッチ部材１５２とが接触することにより、スイッチ部１５０が開く態様を含む。第一スイッチ部材１５１と第二スイッチ部材１５２との接触と、スイッチ部１５０の開閉は、電気回路の構成により種々決定されてよい。
【００３４】
搭載部１０に設けられる第一スイッチ部材１５１は、搭載部１０の基本構成である底板部１１あるいは側壁部１２などに設けられる場合と、第一スイッチ部材１５１を搭載する別部材として搭載部１０に設けられる場合とを含む。
ここで第一スイッチ部材１５１と第二スイッチ部材１５２とは、それぞれが回路を構成する端子であってもよいし、第一スイッチ部材１５１に２つの端子が設けられ、第二スイッチ部材１５２がそれらを直接または間接に導通させるための導通部材であってもよい。
【００３５】
例えば図３に示すように、第一スイッチ部材１５１は、互いに一定の距離を開けて設けられた第一端子１５１ａおよび第二端子１５１ｂを含む。一方、第二スイッチ部材１５２は、第一端子１５１ａと第二端子１５１ｂとを導通させるための導通部材である。本実施形態に係るマガジン１００は、搭載部１０において前後方向に延在する側壁部１２を有し、側壁部１２の下端（即ち底板部１１より下方）に壁部が設けられている。換言すると、マガジン１００において、側壁部１２が壁部として兼用されている。また揺動部材３０も底板部１１の下面において配置されている。そして、上記壁部に第一端子１５１ａおよび第二端子１５１ｂが設けられている。
【００３６】
スイッチ部１５０の端子を側壁部１２などの動作のない部材に設けることによって、これに連続する配線１１３の当該動作のない部材に沿って固定することができる。押板２０や揺動部材３０などの動作のある部材を備えるマガジン１００において、動作のない部材に端子を設けることは、配線１１３の劣化や損傷を防ぐ観点で有効である。
一方、動作のある揺動部材３０に第二スイッチ部材１５２として配線を要しない導通部材を設けることにより、揺動部材３０の動作がスイッチ部１５０の開閉に支障となることを回避することができる。
【００３７】
第一端子１５１ａおよび第二端子１５１ｂは、残数表示灯１２０を点灯または消灯するための回路における、端子である。たとえば第一端子１５１ａをプラスの端子とし、第二端子１５１ｂをマイナス端子とすることができるがこれに限定されない。
ここで、第一端子１５１ａと第二端子１５１ｂとは概念的な端子であって、第一端子１５１ａが電気回路を開閉するための一つの端部である場合と、第一端子１５１ａが電気回路を開閉するための複数の端子を含む端子群である場合と含む。第二端子１５１ｂも同様である。
【００３８】
第一端子１５１ａおよび第二端子１５１ｂを直接に導通させるための導通部材である第二スイッチ部材１５２とは、２つの端子または複数の端子群を電気的につなげるための導電性の部材である。
２つの端子を導通させるための間接的な導通部材である第二スイッチ部材１５２とは、例えば第一スイッチ部材１５１において電気回路を開閉するためのスイッチ部を有する場合であって、上記スイッチ部のスイッチ操作を行う操作部である。操作部は導電性部材でないものを含む。
尚、上記接触とは直接に当接する場合に限定されない。例えば反発し合う磁性体同士のように、直接に当接せずとも互いに作用しあう程度に近接することも接触に含む。
【００３９】
揺動部材３０自体がスイッチ部１５０の一部を構成する上記態様では、揺動部材３０の揺動動作を直接的にスイッチ部１５０の開閉に活用することができる。したがって前進する押板２０の前進力を効率よくスイッチ部１５０の開閉の動作に変換することができる。
【００４０】
より具体的には、図１から図４に示すように、マガジン１００は、搭載部１０はたばこ商品６０を搭載するための底板部１１を有するとともに、底板部１１から上方または下方に延在する壁部（側壁部１２）を有する。第一スイッチ部材１５１（第一端子１５１ａ、第二端子１５１ｂ）が壁部（側壁部１２）の側面に設けられているとともに、第二スイッチ部材１５２が揺動部材３０の側面に設けられている。
本実施形態の他の態様のマガジン１００において、搭載部１０は、たばこ商品６０を搭載するための底板部１１を有するとともに、底板部１１から上方に延在する壁部（側壁部１２）を有してもよい。例えば、揺動部材３０が底板部１１の上面において設けられる場合には、壁部も底板部１１の上面において設けられ、揺動部材３０が底板部１１の下面において設けられる場合には、壁部も底板部１１の下面において設けられてよい。
【００４１】
壁部（側壁部１２）は、搭載部１０に任意に設けられた部材であってもよいし、搭載部１０を構成する部材と兼用されてもよい。兼用される部材とは、例えば搭載部の側壁部１２、前壁部１３などが挙げられる。即ち、側壁部１２の一部が壁部であってもよいし、あるいは前壁部１３の一部が壁部であってもよい。上記壁部は揺動部材３０の側面と接触可能な側面を有する構成であればよい。特に、押板２０の前進方向に対し同方向に延在する壁部であれば、押板２０の前進力の一部を揺動部材３０の左右方向へ動作に変換するとともに、その動作がスイッチ部１５０を閉じることに直接的に作用するため効率がよい。例えば、揺動部材３０の揺動軸４１の付近で押板２０と揺動部材３０とが接触することにより、揺動部材３０が揺動する場合には、僅かな力で揺動部材３０を所定の揺動位置に揺動させることができる。加えて、揺動軸４１の付近で押板２０と揺動部材３０とが接触することにより、揺動部材３０の前端は揺動のストロークを大きく確保することができる。
【００４２】
本実施形態に係るマガジン１００の図示省略する変形例としては、例えば以下のものを挙げることができる。即ち、搭載部１０は、商品（たばこ商品６０）を載置するための底板部１１を有し、第一スイッチ部材１５１が、底板部１１の下面に設けられる。そして第二スイッチ部材１５２は揺動部材３０の上面に設けてもよい。
本実施形態は、上記態様を含み、底板部１１の上面または下面と、これに対向する面である揺動部材３０の上面または下面との組み合わせにおいて、底板部１１に第一スイッチ部材１５１を設け、揺動部材３０に第二スイッチ部材１５２を設ける態様を含む。
【００４３】
次に図３および図４を用いて、前進する押板２０が所定の位置を通過するときの揺動部材３０の揺動と、これに作用を受けて点灯する残数表示灯１２０の残数報知の例について説明する。尚、以下の説明は、第一スイッチ部材１５１と第二スイッチ部材１５２が、残数表示灯１２０およびボタン電池とを備える直列の電気回路のスイッチ部１５０を構成する例を用いる。上記直列の電気回路はスイッチ部１５０が閉じたとき残数表示灯１２０が点灯し、スイッチ部１５０が開いたとき残数表示灯１２０が消灯する。
搭載部１０に搭載されるたばこ商品６０（図示省略）の個数が所定数Ｎを上回るとき、図３に示すように、押板２０は所定の位置よりも後方にあり、揺動部材３０は所定の揺動位置に揺動する前の状態である。スイッチ部１５０を構成する第一スイッチ部材１５１と第二スイッチ部材１５２とは接触していない。即ち、スイッチ部１５０は開いており、残数表示灯１２０は消灯している。
押板２０が前進し、所定の位置を通過するとき、押板２０が揺動部材３０を搭載部１０の幅方向、即ち一方側の側壁部１２の方向へ押しやることにより揺動部材３０が回転揺動する。揺動部材３０は第二スイッチ部材１５２が設けられた箇所が第一スイッチ部材１５１と当接する位置である所定の揺動位置まで揺動する（図４）。これによってスイッチ部１５０を構成する第一スイッチ部材１５１と第二スイッチ部材１５２とは接触し、スイッチ部１５０が閉じるとともに残数表示灯１２０は点灯する。マガジン１００の正面側から残数表示灯１２０の光を視認することによってオペレータは、搭載されるたばこ商品６０が所定数Ｎ以下となったことを認識することができる。
【００４４】
例えばマガジン１００において、押板２０が前進して所定の位置を通過することにより押板２０が揺動部材３０を搭載部１０の幅方向に付勢することによって揺動部材３０が所定の揺動位置に至る。
かかる態様によれば、上記付勢により押板２０の前進力の一部がわずかに幅方向に分散するものの、これにより押板２０の前進が実質的に妨げられるものではない。したがって押板２０は揺動部材３０を揺動させつつも、本来の目的であるたばこ商品６０を前方に押すという作用を損なうことがない。
たとえば、押板２０は、押板２０における任意の側面により揺動部材３０を幅方向に付勢することにより、揺動部材３０を所定の揺動位置に至らしめることができる。具体的には図４に示すように、マガジン１００は、前進する押板２０が所定の位置を通過するとき、押板２０における揺動力付与部２３１の側面が揺動部材３０に接触することによって搭載部１０の幅方向に揺動部材３０を付勢する。上記側面は、押板２０において前後方向に伸びる任意の側面である。ここでいう押板２０の前後方向に伸びる側面とは搭載部１０における前後方向に厳密に平行でないものも含む。また、押板２０の側面であって揺動部材３０との接触が予定される側面は、当該側面を含む部分を下垂せしめ側面の上下方向の寸法を拡大してもよい。これにより当該側面と揺動部材３０とを安定して接触させることができる。その付勢の結果、揺動部材３０は、側壁部１２に揺動し所定の揺動位置に至る。
尚、図４に示すように、本実施形態において、たとえば揺動部材３０の内側面は、前進する押板２０における揺動力付与部２３１の前進経路に沿って伸長している。これによれば、押板２０が所定の位置を通過してさらに前進するとき、揺動部材３０は、押板２０の側面により持続的に側壁部１２側へ付勢される。この結果、揺動部材３０は所定の揺動位置を維持し、スイッチ部１５０が閉じた状態が維持されている。
【００４５】
以下、本実施形態のマガジン１００を詳細に説明する。
図１から図６に示すように、搭載部１０は、上方に向けて開口する半筐体状に形成されている。搭載部１０は、底板部１１と、左右一対の側壁部１２と、底板部１１の前端に対して垂直に設けられた前壁部１３と、底板部１１の後端に対して垂直に設けられた後壁部１４と、を有する。
搭載部１０の前端部は二重底になっており、そのうち上側の底部が底板部１１であり、下側の底部は揺動部材３０の前端部を上面で支持する受板部１５である。
前壁部１３の前板部１３ａは受板部１５の前端より底板部１１の上方に向けて垂直に起立している。後板部１３ｂは、前板部１３ａから僅かに後方に離間した位置において底板部１１より垂直に起立している。
前壁部１３は、二重の板状部、すなわち前板部１３ａおよび後板部１３ｂからなる。
前壁部１３の前板部１３ａは受板部１５の前端より底板部１１の上方に向けて垂直に起立している。後板部１３ｂは、前板部１３ａから僅かに後方に離間した位置において底板部１１より垂直に起立している。
前板部１３ａと後板部１３ｂとの間には、ホルダ１７が形成されている。ホルダ１７には、ＬＥＤ回路基板１１０が差し込まれている。さらにプライスカードなどが差し込まれてもよい。ＬＥＤ回路基板１１０からは残数表示灯１２０を点灯および消灯するためのスイッチ部１５０（図２）まで伸長する配線１１３が導出している。例えば図示省略するが、後板部１３ｂには配線１１３を貫通させるための孔を任意の箇所に設けることができる。
後壁部１４も、二重の板状部、すなわち前板部１４ａおよび後板部１４ｂからなる。
後壁部１４の前板部１４ａは底板部１１の後端に対して直交するように設けられ、後壁部１４の後板部１４ｂは、前板部１４ａから僅かに後方に離間した位置において前板部１４ａと一体的に設けられている。
前板部１４ａと後板部１４ｂとの間には、商品ラベル（図示略）などが差し込まれるラベルホルダ１８が形成されている。
左右の側壁部１２は、底板部１１の左右両端に対してそれぞれ直交するように設けられ、底板部１１よりも上方に起立し、且つ、底板部１１よりも下方へ垂下している。搭載部１０の前端部においては、左右の側壁部１２は、受板部１５と底板部１１との間隔領域の側部をそれぞれ閉塞している。
底板部１１と受板部１５との間隔領域に、揺動部材３０の前端部が差し込まれ、この間隔領域において、揺動部材３０の前端部が水平に（ほぼ左右に）揺動するようになっている。この間隔領域の前端は、前板部１３ａの下部により閉塞されている。
搭載部１０は、更に、受板部１５の下面より下方に突出したブレード１９（図１）を有している。
搭載部１０は、例えば、透明樹脂などにより構成することができる。
【００４６】
搭載部１０は、底板部１１と、左右の側壁部１２と、前壁部１３の後板部１３ｂと、後壁部１４の前板部１４ａと、により囲まれた半筐体状の領域に、複数のたばこ商品６０を縦置きで前後に列をなすように収容可能となっている。例えば、搭載部１０には、最大で１５個のたばこ商品６０を搭載（収容）可能となっている。
【００４７】
底板部１１には、該底板部１１に押板２０を連結するためのスリット１１ａが、前後方向に延在するように形成されている。このスリット１１ａは、例えば、底板部１１の幅方向中央に位置している。
底板部１１の上面におけるスリット１１ａの両脇には、底板部１１の上面より上方に起立し、前後方向に延在する突条部１６が形成されている。たばこ商品６０は、これら突条部１６間に架設されるようにして、搭載部１０に搭載される。たばこ商品６０は、押板２０により前方に移動される際に、これら突条部１６と、左右の側壁部１２と、にガイドされて前後に摺動する。
突条部１６の前端部は、前方に向けて上り傾斜した傾斜部１６ａとなっており、最前列に前送りされたたばこ商品６０（たばこ商品６０ａ）はこの傾斜部１６ａの傾斜に沿って上方に持ち上げられるようになっている。傾斜部１６ａの下方は突条部１６の下方に比べて広い空間を有する。したがって、本実施形態の変形例として、残数表示灯１２０の電源として小型の電池などを、傾斜部１６ａの下方に設置することもできる。
底板部１１の前端部上面において、左右の突条部１６の間の部分には、リール５０の後述する留め具５２を係止固定する係止部１１ｂが形成されている。この係止部１１ｂは、例えば、左右の突条部１６の傾斜部１６ａの間に配置され、傾斜部１６ａよりも上には突出していない。このため、係止部１１ｂがたばこ商品６０の移動を阻害しないようになっている。
【００４８】
搭載部１０には、揺動部材３０を軸支する揺動軸４１が設けられている。揺動軸４１は、マガジン１００の幅方向（左右方向）において、スリット１１ａの側方（一方の側壁部１２ａ側）にオフセットされた位置に配置されている。
図２から図４に示すように、揺動軸４１の上端は、例えば、底板部１１の下面により軸受けされている。底板部１１の下方には、揺動軸４１の下端を軸受けする軸受片４２が設けられている。この軸受片４２は、例えば、一方の側壁部１２ａにおいて、底板部１１よりも下方に垂下している部分から、マガジン１００における幅方向中央に向けて突出するように形成されている。
【００４９】
押板２０は、底板部１１と連結された状態で、底板部１１に沿って前後移動するように設けられている。
例えば図２および図４に示すように押板２０は、底板部１１と平行に配置され底板部１１の上面に対して摺動する摺動板２１を有する。この摺動板２１の前端より垂直に起立するように設けられ最後列のたばこ商品６０ｂの背面を前方に付勢する背板２２（図１、図２）と、摺動板２１との協働で底板部１１を挟持する挟持部２３（図４）と、挟持部２３と摺動板２１とを連結する図示省略する連結部と、リール５０を保持するリール保持部２５と、を有する（図２）。図示省略する連結部の左右幅は、摺動板２１および挟持部２３の左右幅よりも狭く形成され、その左右幅は、スリット１１ａの左右幅よりも若干狭く形成される。摺動板２１および挟持部２３の左右幅は、スリット１１ａの左右幅よりも広い。摺動板２１が底板部１１の上、挟持部２３が底板部１１の下に位置するように、連結部がスリット１１ａに嵌め込まれる。これにより、摺動板２１と挟持部２３とにより底板部１１におけるスリット１１ａの左右縁部を上下から挟持した状態で、押板２０がスリット１１ａに沿って前後方向に移動可能となっている。
【００５０】
図３および図４に示すように、押板２０の挟持部２３における一方の側部は、押板２０が前後移動する際に揺動部材３０に直接的に力を伝達し、揺動部材３０を揺動させる揺動力付与部２３１を構成している。この揺動力付与部２３１は、例えば、挟持部２３の側方に膨出する円弧状に形成されている。揺動力付与部２３１は、揺動部材３０の内側の側面に当接して押板２０を一方側の側壁部１２に押しやる方向に揺動させ、所定の揺動位置まで揺動部材３０を揺動させる。
かかる構成により、前進する押板２０の前進力の一部が、揺動部材３０を幅方向に動作させるための力に変換されることを可能とする。揺動部材３０が所定の揺動位置に揺動することによって第一スイッチ部材１５１と第二スイッチ部材１５２とが接触してスイッチ部１５０が閉じ、残数表示灯１２０が点灯する。オペレータはマガジン１００の正面側において光を感知することによって搭載されるたばこ商品６０が所定数Ｎ以下となったことを知ることができる。
【００５１】
また、図４に示すとおり、押板２０は所定の位置を通過し、さらに前進するとき、揺動力付与部２３１が、揺動部材３０の内側の側面に当接した状態を維持することができる。たとえば、揺動部材３０が所定の揺動位置にある姿勢において、揺動部材３０の内側面が揺動力付与部２３１の前進方向への移動経路と略平行に伸長することによって、揺動力付与部２３１が、揺動部材３０の内側の側面に当接した状態を維持することができる。
【００５２】
押板２０のリール保持部２５には、リール５０が嵌着されている。リール５０のリール紐５１（図１、図２）は、背板２２に形成された図示省略する開口を介して、背板２２の前方に導出されている。
リール紐５１の先端には、留め具５２が固定されている。この留め具５２は、底板部１１の前端部上面に設けられた係止部１１ｂに係止固定されている。リール５０のケース５３内には、図示しない板バネが渦巻き状に収納され、その板バネの一端にリール紐５１の基端部が連結されている。板バネは、リール紐５１をケース５３内に引き込む方向へと、リール紐５１を付勢している。このため、押板２０は、リール紐５１により、前方に（係止部１１ｂ側に）引っ張られている。この引っ張り力により、押板２０の背板２２が最後列のたばこ商品６０（たばこ商品６０ｂ）の背面を前方に付勢している。
搭載部１０のたばこ商品６０が残り１個になったときに、このたばこ商品６０を搭載部１０の最前部に移動できるように、押板２０の移動範囲が設定されている。
リール紐５１は、左右一対の突条部１６の間、またはスリット１１ａ内において前後方向に延在し、突条部１６により支持されるたばこ商品６０と干渉しないようになっている。
【００５３】
本実施形態の場合、揺動部材３０は、前後方向に長尺な平板状のものであり、その板面を上下方向に向けて水平に配置されている。この揺動部材３０は、その長手方向の中間部にて、底板部１１と平行な面内（水平な面内）において屈曲した（或いは屈折した）形状に形成されている。屈曲した部分を屈曲部と呼ぶ。揺動部材３０は、押板２０の移動経路の側方に配置されている。
揺動部材３０は、底板部１１の下方に配置されている。
揺動部材３０は、例えば、その屈曲部にて、或いはその近傍にて、揺動軸４１により底板部１１に対し揺動可能に軸支されている。揺動部材３０が底板部１１に軸支されたとき、屈曲部の内角は押板２０の移動経路方向に向いており、屈曲部の外角は揺動軸４１に近い側壁部１２側に向いている。揺動軸４１の軸方向は水平面に直交する方向、すなわち底板部１１と直交する方向である。揺動軸４１は、底板部１１において、押板２０の移動経路を基準として一方の側壁部１２ａに近い部分に設けられている。押板２０の移動経路を基準として揺動軸４１とは反対側の側壁部１２は側壁部１２ｂである。
揺動部材３０は、揺動軸４１を揺動支点として、水平面内において、図３に示す状態から、図４に示す状態まで揺動可能となっている。
回転揺動する揺動部材３０が、押板２０の側面によって付勢を受ける態様では、例えば揺動部材３０の押板２０の移動経路側の側面と押板２０とが当接可能となっていることが好ましい。少なくとも押板２０が所定の揺動位置を通過するとき、押板２０の側面と揺動部材３０の側面であった屈曲部より前方側とが接触することによって、揺動部材３０が幅方向に付勢されて所定の揺動位置まで回転揺動可能である。また所定の位置に回転揺動した揺動部材３０は、その位置において押板２０の上記側面と移動経路に沿った側面を有することにより、持続的に押板２０からの付勢を受けることが可能である。このとき、すでに所定の揺動位置にある揺動部材３０を前進方向とは異なる方向に付勢する押板２０は、前進する前進力を有意に減衰するほどに負荷を受けるものではない。したがって、押板２０は搭載部１０に搭載されるたばこ商品６０を前方に押すという所期の機能を損なうことなく、揺動部材３０を付勢することができる。
【００５４】
この所定数Ｎは、例えば、３個以上であることが好ましく、例えば３個から５個の間であることが挙げられる。上述のように、搭載部１０には、例えば、最大で１５個のたばこ商品６０を搭載可能であり、この場合、搭載部１０へのたばこ商品６０の最大搭載数（１５）から所定数Ｎ（例えば３個或いは５個）を差し引いた数が１０以上の構成となる。
たばこ商品６０は、一般的に、カートン単位でまとめて包装され、１カートンのたばこ商品６０は一般的に１０個である。このため、搭載部１０のたばこ商品６０の残数が所定数Ｎ以下になったことが表示報知された段階で、１カートン分（つまり１０個）のたばこ商品６０を余すことなく搭載部１０に補充することができる。
【００５５】
この表示報知により、マガジン１００のオペレータは、搭載部１０におけるたばこ商品６０の残数が所定数Ｎ（例えば５個）以下になったことを容易に認識でき、必要に応じ、たばこ商品６０を搭載部１０に補充することができる。
【００５６】
次に、押板２０が前方より、所定の位置を通過して後退する場合について説明する。
本実施形態は、前進して上記所定の位置を通過した押板２０が、上記所定の位置を通過して後退するとき、揺動部材３０が上記所定の揺動位置から異なる位置へと揺動するとともに残数表示灯１２０を消灯させることができる。
【００５７】
即ち、押板２０が揺動軸４１よりも上記所定の位置より後方へ後退する際に、挟持部２３の揺動力付与部２３１は、揺動部材３０の側面であって屈曲部より後方側に接触して揺動部材３０を付勢し、屈曲部よりも後方側を側壁部１２に押し退ける（図３）。押板２０が揺動軸４１よりも上記所定の位置より後方へ後退するとは、例えば図４の位置から図３の位置へ後退する状態である。これにより、揺動部材３０が揺動軸４１を支点として揺動し、揺動部材３０の屈曲部より前方側は、側壁部１２と離れ、これによってスイッチ部１５０が開き、残数表示灯１２０が消灯する。つまり、マガジン１００の正面側から光が視認されない状態となったことにより、たばこ商品６０の個数が所定数Ｎ以下であることを点灯により報知する状態ではなくなる。
【００５８】
上述のとおり、前方にある押板２０が所定の位置を通過して後退するとき、残数表示灯１２０を消灯することができる本態様は、人為的にスイッチ部１５０を切り替える必要がなく、スイッチの切り忘れによる残個数表示の誤報を避けることができる。
尚、前進する押板２０が所定の位置を通過するときに残数表示灯１２０が消灯する態様の本実施形態においては、押板２０が前方より、所定の位置を通過して後退する場合に残数表示灯１２０が点灯する態様を含む。かかる態様は、搭載されるたばこ商品６０の個数が所定数Ｎを上回るとき残数表示灯１２０が点灯する。そして残数表示灯１２０が消灯することにより、たばこ商品６０の個数が所定数Ｎ以下となったことを報知する。かかる態様では、前方にある押板２０が所定の位置を通過して後退するとき、人為的にスイッチ部１５０を切り替える必要がなく、スイッチの入れ忘れによる残個数表示の誤報を避けることができる。
【００５９】
＜第二実施形態＞
本実施形態に係るマガジン２００は、以下に説明する点でのみ上記の第一実施形態に係るマガジン１００と相違し、その他の点では第一実施形態に係るマガジン１００と同様に構成されている。
図７および図８を用いて第二実施形態を説明する。図７は第二実施形態に係るマガジン２００の裏面図であり、搭載されている商品が所定数Ｎを上回るときの状態を示す。図８は第二実施形態に係るマガジン２００の裏面図であり、搭載されている商品が所定数Ｎ以下であるときの状態を示す。
【００６０】
本実施形態に係るマガジン２００は、搭載部１０が側壁部１２を備える。搭載部１０を幅方向に付勢する側面である押板２０の側面と、当該側面と対向する側壁部１２と、の間において、押板２０が揺動部材３０を付勢する方向に伸縮可能な弾性体（板バネ１５３）が設けられている。
【００６１】
弾性体（板バネ１５３）を備えるマガジン２００は、押板２０により側壁部１２の側に付勢される揺動部材３０の所定の揺動位置にゆとりをもたせることが可能である。換言すると揺動部材３０の所定の揺動位置に所謂、あそびを付与することが可能である
【００６２】
図７および図８に示す本実施形態に係るマガジン２００は、第二スイッチ部材１５２として板バネ１５３を有する。また板バネ１５３を設置するため設置部として、揺動部材３０の外側側面であって屈曲部より前方側には、切欠き部１５４が設けられている。板バネ１５３は、揺動部材３０と側壁部１２との間において、押板２０の付勢の方向に伸縮可能に設けられた弾性体である。
板バネ１５３は一つ折りのＶ字状をしており、一方の端部が切欠き部１５４に固定されており、他方の端部は、自由端である。スイッチ部１５０が開くとき（図７）、板バネ１５３は、自由端が側壁部１２に向かって開いており伸びた状態にある。スイッチ部１５０が閉じるとき（図８）、板バネ１５３は、自由端の外側面と第一スイッチ部材１５１とが接触して第一端子１５１ａと第二端子１５１ｂとを導通させる。さらに揺動部材３０が押板２０により側壁部１２に押し退けられることにより、板バネ１５３は二つに折りたたまれて、切欠き部１５４内に包含された状態となっている。板バネ１５３は、押板２０の側面が揺動部材３０を幅方向に付勢する方向に伸縮する。
板バネ１５３を設けることにより、揺動部材３０の上記所定の揺動位置にゆとりが付与され、第一スイッチ部材１５１と第二スイッチ部材１５２が非接触となることを良好に回避することができる。
【００６３】
本実施形態のスイッチ部１５０は、第一スイッチ部材１５１および第二スイッチ部材１５２の少なくともいずれか一方を、弾性体（板バネ１５３）とすることができる。上記弾性体（板バネ１５３）は、第一スイッチ部材１５１と第二スイッチ部材１５２との間で伸縮可能な部材であって、かつ、導電性を備える部材を用いて構成することができる。たとえば上記弾性体は、板バネ１５３の他にコイルバネなどのその他のバネ体であって導電性を備える部材で構成することができる。
【００６４】
第一スイッチ部材１５１と第二スイッチ部材１５２との少なくともいずれかを弾性体とすることにより、スイッチ部１５０を閉じるとき、第一スイッチ部材１５１と第二スイッチ部材１５２との接触状態を良好なものとすることができる。
【００６５】
また弾性体を設けることにより、押板２０の側面により揺動部材３０を幅方向に付勢して側壁部１２に押し退けるとき、押板２０による付勢の力、揺動部材３０の揺動のストロークなどを緩やかに設計することができる。かかる効果を得るための観点からは、上記弾性体は、第一スイッチ部材１５１と第二スイッチ部材１５２のいずれかに設ける態様に限定されない。たとえば、押板２０の側面と、これに接触する揺動部材３０の側面との間、あるいは揺動部材３０の中間部などに弾性体を設けることもできる。以上に述べる弾性体であって、残数表示灯１２０の点灯および消灯に関連する電気回路の一部を担う弾性体は、一部または全部を導電性の部材で形成することが好ましい。
【００６６】
上記実施形態は、以下の技術思想を包含するものである。
（１）複数の商品が前後方向に一列に搭載される搭載部と、前記搭載部に沿って前後移動するように設けられた押板と、前記押板を前方に付勢する付勢部材と、前記押板と連動して揺動する揺動部材と、を備えるマガジンであって、
前記商品の個数が所定数Ｎ（Ｎは自然数）以下となったことを前記マガジンの正面側において報知する残数表示灯と、を備え、
前記押板が前進して所定の位置を通過するとき前記揺動部材が揺動して所定の揺動位置に至るとともに前記揺動部材の作用により前記残数表示灯を点灯または消灯することを特徴とするマガジン。
（２）前記押板が前進して前記所定の位置を通過することにより前記押板が前記揺動部材を前記搭載部の幅方向に付勢することによって前記揺動部材が前記所定の揺動位置に至る上記（１）に記載のマガジン。
（３）前記搭載部は前記商品を搭載するための底板部を有し、
前記揺動部材が前記底板部の下面において配置され、前記下面に対し平行な面内において回転揺動する上記（１）または（２）に記載のマガジン。
（４）前記残数表示灯を点灯または消灯するためのスイッチを備える上記（１）から（３）のいずれか一項に記載のマガジン。
（５）前記搭載部は、前記スイッチを構成する第一スイッチ部材を有し、
前記揺動部材は、前記スイッチを構成する第二スイッチ部材を有し、
前記第一スイッチ部材と前記第二スイッチ部材とが接触する上記（４）に記載のマガジン。
（６）前記搭載部は、前記商品と搭載するための底板部を有するとともに、前記底板部から上方または下方に延在する壁部を有し、
前記第一スイッチ部材が、前記壁部の側面に設けられているとともに、前記第二スイッチ部材が前記揺動部材の側面に設けられている上記（５）に記載のマガジン。
（７）前記搭載部は、前記商品を載置するための底板部を有し、
前記第一スイッチ部材が、前記底板部の下面に設けられているとともに、前記第二スイッチ部材が前記揺動部材の上面に設けられている上記（５）に記載のマガジン。
（８）前記第一スイッチ部材は、互いに一定の距離を開けて設けられた第一端子および第二端子を含み、
前記第二スイッチ部材は、前記第一端子と前記第二端子とを導通させるための導通部材である上記（６）または（７）に記載のマガジン。
（９）前記残数表示灯の電源を備える上記（１）から（８）のいずれか一項に記載のマガジン。
（１０）前進して前記所定の位置を通過した前記押板が、前記所定の位置を通過して後退するとき、
前記揺動部材が前記所定の揺動位置から異なる位置へと揺動するとともに前記残数表示灯が点灯または消灯する上記（１）から（９）のいずれか一項に記載のマガジン。
（１１）前記搭載部には側壁部が設けられており、
前記押板の前記側面と、前記側面と対向する前記側壁部と、の間において、前記押板が前記揺動部材を付勢する方向に伸縮可能な弾性体が設けられていることを特徴とする上記（２）から（１０）のいずれか一項に記載のマガジン。
【符号の説明】
【００６７】
１０・・・搭載部、１１・・・底板部、１１ａ・・・スリット、１１ｂ・・・係止部、１２・・・側壁部、１２ａ・・・側壁部、１２ｂ・・・側壁部、１３・・・前壁部、１３ａ・・・前板部、１３ｂ・・・後板部、１４・・・後壁部、１４ａ・・・前板部、１４ｂ・・・後板部、１５・・・受板部、１６・・・突条部、１６ａ・・・傾斜部、１７・・・ホルダ、１８・・・ラベルホルダ、１９・・・ブレード、２０・・・押板、２１・・・摺動板、２２・・・背板、２３・・・挟持部、２５・・・リール保持部、３０・・・揺動部材、４１・・・揺動軸、４２・・・軸受片、５０・・・リール、５１・・・リール紐、５２・・・留め具、５３・・・ケース、６０・・・たばこ商品、６０ａ・・・たばこ商品、６０ｂ・・・たばこ商品、１００・・・マガジン、１１０・・・ＬＥＤ回路基板、１１１・・・基板、１１２・・・電源、１１３・・・配線、１２０・・・残数表示灯、１３０・・・切欠き部、１５０・・・スイッチ部、１５１・・・第一スイッチ部材、１５１ａ・・・第一端子、１５１ｂ・・・第二端子、１５２・・・第二スイッチ部材、１５３・・・板バネ、１５４・・・切欠き部、２００・・・マガジン、２３１・・・揺動力付与部
【図１】
2014184000.tif 000003
【図２】
2014184000.tif 000004
【図３】
2014184000.tif 000005
【図４】
2014184000.tif 000006
【図５】
2014184000.tif 000007
【図６】
2014184000.tif 000008
【図７】
2014184000.tif 000009
【図８】
2014184000.tif 000010